(57)【要約】【課題】電池収納ケースを備えた電子機器において、簡単な構成により、電池収納ケースの取扱の不注意によるショートの発生を防止可能とすると共に、機器本体に対し電池収納ケースの緩みのない挿着状態を実現する。【解決手段】電子血圧計１（電子機器）は、一対（２本）の乾電池Ｂｔを並行に配置して収納すると共に収納した電池Ｂｔの横方向に沿って電子血圧計１の機器本体２に挿着または抜脱される電池収納ケース３を備えている。電池収納ケース３は、機器本体２に挿着された状態で乾電池Ｂｔの電力を機器本体２に供給するための正負の電気接続部ｐ１，ｎ１を、その電池収納ケース３の外面の異なる２面に備えている。【選択図】図１
2008108661.tif 000002
【特許請求の範囲】
【請求項１】
少なくとも１対以上の乾電池を並行に配置して収納すると共に収納した電池の短手方向に沿って電子機器本体に挿着または抜脱される電池収納ケースを備えた電子機器において、
前記電池収納ケースは、電子機器本体に挿着された状態で乾電池の電力を電子機器本体に供給するための正負の電気接続部を当該電池収納ケースの外面の異なる２面に備えていることを特徴とする電池収納ケースを備えた電子機器。
【請求項２】
前記電子機器本体は案内リブを備え、
前記電池収納ケースは前記電子機器本体に挿着される際に前記案内リブに嵌合して案内される案内溝を備えているとを特徴とする請求項１に記載の電池収納ケースを備えた電子機器。
【請求項３】
前記電気接続部は、前記電池収納ケースの挿着方向に沿った接触面を有する導電性の板材によって形成されると共に、その挿着方向先端エッジが当該電池収納ケースの内方側に曲げられていることを特徴とする請求項１に記載の電池収納ケースを備えた電子機器。
【請求項４】
前記電気接続部は、前記電池収納ケースの内部から外部に延設されて当該電池収納ケースの挿着方向に沿った接触面を有する形状とされた導電性の板材によって形成され、当該電池収納ケースに設けられた切欠に挿着されると共に当該電気接続部の一部に形成された抜け防止用の切り起こし爪によって当該電池収納ケースに保持されていることを特徴とする請求項１に記載の電池収納ケースを備えた電子機器。
【請求項５】
前記電池収納ケースは、収納された乾電池を当該電池収納ケース外部に押し出すための電池操作用貫通孔を備えていることを特徴とする請求項１に記載の電池収納ケースを備えた電子機器。
【請求項６】
前記電子機器本体は挿着状態の電池収納ケースを保持する係止部を備え、
前記電池収納ケースは、その挿着方向に直交する方向の両端に前記電子機器本体の係止部に係合する係合爪を備えていることを特徴とする請求項１に記載の電池収納ケースを備えた電子機器。
【請求項７】
前記電池収納ケースは、乾電池着脱用の１面が開口した略四角形であり、
前記電気接続部は、前記電池収納ケースの底面と側面、または２つの側面に設けられていることを特徴とする請求項１に記載の電池収納ケースを備えた電子機器。
【発明の詳細な説明】
【技術分野】
【０００１】
本発明は、電池収納ケースを備えた電子機器に関する。
【背景技術】
【０００２】
従来から、周知のように、２本以上の円筒型の乾電池を電源とする電子機器が、各種幅広く提供されている。このような乾電池を用いる機器において、機器本体への乾電池の挿着、固定、通電や、乾電池の取出しなどの方法として、種々提案されている。
【０００３】
例えば、機器本体に受電用電極を有する電池収納部と、電池収納部を塞ぐカバーとを備え、乾電池を横にして電池収納部に装着し、挿着することにより通電可能状態になり、電池の脱落防止のためにカバーをするというものが知られている（例えば、特許文献１）。
【０００４】
また、上述同様に横にして乾電池を出し入れする電池収納部であって、出し入れのための開口が狭い場合に、挿着した複数の乾電池を取り出す方法として、電池収納部に、電池取出し用の紐や、シートを設けたものがある。このような電池収納部の場合、紐やシートを引っ張ることにより、乾電池を取り出すことができる（例えば、特許文献２参照）。
【０００５】
また、上記２例と異なり、乾電池を縦方向から挿入し、カバーをすることによって通電可能となるものが知られている。この場合、乾電池の脱落防止用のカバーに複数の乾電池を並列または直列に接続するための電極が設けられている（例えば、特許文献３参照）。
【０００６】
上述の３例は、乾電池を個別に収納部に直接挿着して固定するものである。ところで、比較的大型の電子機器においては、機器本体とは別に乾電池を収納する収納ケースを設け、この収納ケースに乾電池を収納した状態で、機器本体に挿着するものがある。収納ケースには、通常、収納した乾電池を直列または並列に接続した後の電力取出用の正負の端子が設けられ、機器本体は、この正負の端子を介して受電する。このような収納ケースを用いる場合、通常、収納ケースへの乾電池の挿着や取り出しは容易となる。
【特許文献１】特許第３６９８３１８号公報
【特許文献２】特開２００４−３９５９８号公報
【特許文献３】特許第３８１８１１１号公報
【発明の開示】
【発明が解決しようとする課題】
【０００７】
しかしながら、従来の乾電池用の収納ケースを用いる電子機器において、収納ケースに設けた正負の端子が同一平面内に設けられていることにより、取扱に注意しないとショートしてしまうというおそれがある。正負の端子が同一平面内に設けられている場合、その端子間距離が十分離れていても、周囲に導体が存在すると両端子が導体に同時に接触してショートするおそれがある。例えば、収納ケースが、乾電池を入れた状態で机等に放置された場合、クリップ等の金属が正負の端子間に接触するとショートしてしまう。また、端子間距離が近い場合、収納ケースが機器本体にガタついた状態で挿着された場合に、同様にショートのおそれがある。
【０００８】
本発明は、上記課題を解消するものであって、簡単な構成により、電池収納ケースの取扱の不注意によるショートの発生を防止でき、また、機器本体に対し電池収納ケースの緩みのない挿着状態を実現できる電池収納ケースを備えた電子機器を提供することを目的とする。
【課題を解決するための手段】
【０００９】
上記課題を達成するために、請求項１の発明は、少なくとも１対以上の乾電池を並行に配置して収納すると共に収納した電池の短手方向に沿って電子機器本体に挿着または抜脱される電池収納ケースを備えた電子機器において、前記電池収納ケースは、電子機器本体に挿着された状態で乾電池の電力を電子機器本体に供給するための正負の電気接続部を当該電池収納ケースの外面の異なる２面に備えているものである。
【００１０】
請求項２の発明は、請求項１に記載の電池収納ケースを備えた電子機器において、前記電子機器本体は案内リブを備え、前記電池収納ケースは前記電子機器本体に挿着される際に前記案内リブに嵌合して案内される案内溝を備えているものである。
【００１１】
請求項３の発明は、請求項１に記載の電池収納ケースを備えた電子機器において、前記電気接続部は、前記電池収納ケースの挿着方向に沿った接触面を有する導電性の板材によって形成されると共に、その挿着方向先端エッジが当該電池収納ケースの内方側に曲げられているものである。
【００１２】
請求項４の発明は、請求項１に記載の電池収納ケースを備えた電子機器において、前記電気接続部は、前記電池収納ケースの内部から外部に延設されて当該電池収納ケースの挿着方向に沿った接触面を有する形状とされた導電性の板材によって形成され、当該電池収納ケースに設けられた切欠に挿着されると共に当該電気接続部の一部に形成された抜け防止用の切り起こし爪によって当該電池収納ケースに保持されているものである。
【００１３】
請求項５の発明は、請求項１に記載の電池収納ケースを備えた電子機器において、前記電池収納ケースは、収納された乾電池を当該電池収納ケース外部に押し出すための電池操作用貫通孔を備えているものである。
【００１４】
請求項６の発明は、請求項１に記載の電池収納ケースを備えた電子機器において、前記電子機器本体は挿着状態の電池収納ケースを保持する係止部を備え、前記電池収納ケースは、その挿着方向に直交する方向の両端に前記電子機器本体の係止部に係合する係合爪を備えているものである。
【００１５】
請求項７の発明は、請求項１に記載の電池収納ケースを備えた電子機器において、前記電池収納ケースは、乾電池着脱用の１面が開口した略四角形であり、前記電気接続部は、前記電池収納ケースの底面と側面、または２つの側面に設けられているものである。
【発明の効果】
【００１６】
請求項１の発明によれば、乾電池の電力を電子機器本体に供給するための正負の電気接続部を当該電池収納ケースの外面の異なる２面に備えているので、直線状や平面状の導体などに同時に正負の電気接続部が接触することがない。従って、電池収納ケースに乾電池を入れた後、机上等に放置した際、クリップ等が一方の電気接続部に接触したとしても、容易には電池のショートが発生しないので、電池収納ケースの取扱の不注意によるショートの発生を防止できる。また、もし、金属板などのように導通性のあるものの上に電池収納ケースをおいたとしても、電池のショートが発生しない。
【００１７】
請求項２の発明によれば、互いに備えた嵌合する案内リブと案内溝とを用いて、電池収納ケースが電子機器本体に装着されるので、電子機器本体に対し電池収納ケースの緩みのない挿着状態を実現できる。従って、電池収納ケースが電子機器本体内でガタつくことに起因するショートの発生を防止でき、また、電気接続部における接触圧の安定確保を図ることができる。なお、案内リブと案内溝とは互いに配置を替えることができる。
【００１８】
請求項３の発明によれば、電気接続部の挿着方向先端エッジが電池収納ケースの内方側に曲げられているので、電池収納ケースを装着する際に、電極接触部の先端エッジがひっかかったり、変形したりする等の不具合を防止できる。
【００１９】
請求項４の発明によれば、電気接続部が安定に保持され、電池収納ケースの信頼性、ひいては電子機器の信頼性を確保できる。
【００２０】
請求項５の発明によれば、電池操作用貫通孔から指をいれて、乾電池を押し出すことができるので、使い勝手の良い電池収納ケースを実現できる。
【００２１】
請求項６の発明によれば、両端に係合爪を備えているので、例えば、親指と人差し指とで、両方の係合爪部分を挟んで外すようにすることにより、使い勝手の良い電池収納ケースを実現できる。
【００２２】
請求項７の発明によれば、上方が開口した四角い箱状の電池収納ケースの底面、装着方向の前面、左右の側面などに電気接続部を設けることができ、簡単な構成により、電池収納ケースの取扱の不注意によるショートの発生を防止できる。
【発明を実施するための最良の形態】
【００２３】
以下、本発明の一実施形態に係る電池収納ケースを備えた電子機器について、図面を参照して説明する。実施形態では、電子機器の例として電子血圧計を説明する。また、電子血圧計とその電池収納ケースの各部の空間配置の説明のために、図中に示したｘｙｚ直交座標系を参照する。なお、説明の便宜上、ｚ方向を上方向、ｙ方向を左右方向などと表現することがあるが、本電子血圧計は、上下左右などの姿勢にかかわらず動作使用することができるものである。
【００２４】
（電池収納ケースを備えた電子血圧計）
図１は電子血圧計を電池収納ケースを引き出した状態で示し、図２は電子血圧計の断面を示し、図３、図４は電池収納ケースと電子血圧計の内部を示し、図５（ａ）（ｂ）（ｃ）（ｄ）は電池収納ケースの外観の４面を示す。電子血圧計１は、乾電池で動作し手首に装着して用いるものであり、一対（２本）の乾電池Ｂｔを並行に配置して収納すると共に収納した電池Ｂｔの横方向に沿って電子血圧計１の機器本体２に挿着または抜脱される電池収納ケース３を備えている。電池収納ケース３は、機器本体２に挿着された状態で乾電池Ｂｔの電力を機器本体２に供給するための正負の電気接続部ｐ１，ｎ１を、その電池収納ケース３の外面の異なる２面に備えている。以下各部の詳細説明する。
【００２５】
電子血圧計１は、機器本体２と、電池収納ケース３と、カフ帯４とを備えている。機器本体２は、本体下部２１と本体上部２２とを備えている。本体下部２１は、電子回路などからなる処理部（不図示）を備えると共に、電力を受電するための電池収納ケース３を装着する収納凹部２０を備えている。収納凹部２０の内部には、正負の受電用電極ｐ２，ｎ２が設けられている。
【００２６】
本体上部２２は、その上面に、測定した血圧値を表示する表示部２２ａと、血圧測定を開始、終了するための釦２２ｂを備えている。表示部２２ａには、血圧値の他に、脈拍、測定日時、測定者識別コード等の、使用者の状態が表示される。
【００２７】
カフ帯４は、使用者の手首に巻き付けて用いるセンサ部分であり、手首に巻き付けて係止するための係止部４１、機器本体２から空気などの流体を送り込まれた際に膨張して手首に密着する阻血部４２、手首に装着する際に仮固定するための仮止部（不図示）などから構成されている。カフ帯４で取得されたセンサ信号は、本体下部２１に送られ、本体下部２１の処理部で処理され、その処理結果が本体上部２２の表示部２２ａに表示されると共に、処理部に記憶される。記憶されたデータは、必要に応じて呼び出されて使用される。
【００２８】
電池収納ケース３は、円筒型の乾電池である単４型の電池Ｂｔを２本収納する上方（ｚ方向）に開口した略四角形の電池収納部３０と、電池収納部３０の一面を構成すると共に本体下部２１の外枠の外形の一部を構成する枠体３１と、を備えている。これらは、絶縁性の樹脂等で形成されている。
【００２９】
電池収納部３０は、その内部のｙ方向側に、各電池Ｂｔの正極、負極と接触して電力を取り出すための正負の電極ｐ０，ｎ０を備え、その内部の他方向側に、２本の電池Ｂｔを直列接続させるための電極ｅを備えている。
【００３０】
正負の電極ｐ０，ｎ０は、後述する電極金具５，６（図６、図８（ａ）参照）によって構成されている。正負の電極ｐ０，ｎ０は、同じく電極金具５，６によって構成されて電池収納部３０の外面に配置された正負の電気接続部ｐ１，ｎ１に、それぞれ、導通している。さらに述べると、正負の電気接続部ｐ１，ｎ１は、電池収納ケース３の外面の異なる２面に備えられており、正の電気接続部ｐ１は電池収納部３０のｙ方向側の端面に設けられ、負の電気接続部ｎ１は電池収納部３０の底面に設けられている。
【００３１】
電池収納ケース３は、電池Ｂｔを収納した状態で、ｘ方向に沿って、機器本体２の本体下部２１に設けられた収納凹部２０に挿着される。電池収納ケース３が挿着された状態で、電池収納ケース３の正負の電気接続部ｐ１，ｎ１と、本体下部２１の正負の受電用電極ｐ２，ｎ２とは、互いに圧接された状態になる。そこで、機器本体２は、電池収納ケース３が挿着された状態で、正負の受電用電極ｐ２，ｎ２を介して、正負の電気接続部ｐ１，ｎ１から電力を受け取ることができる。
【００３２】
上述のような電池収納ケース３を備えた電子血圧計によれば、電池Ｂｔの電力を機器本体２に供給するための正負の電気接続部ｐ１，ｎ１を、電池収納ケース３の外面の異なる２面に備えているので、この正負の電気接続部ｐ１，ｎ１が、互いに接触するほどに極端に近接していない限り、直線状や平面状の導体などに同時に接触することがない。従って、電池収納ケース３に電池Ｂｔを入れた後、机上等に放置した際、クリップ等が一方の電気接続部に接触したとしても、容易には電池Ｂｔのショートが発生しないので、電池収納ケース３の取扱の不注意によるショートの発生を防止できる。また、もし、金属板などのように導通性のあるものの上に電池収納ケース３を置いたとしても、電池Ｂｔのショートが発生しない。
【００３３】
次に、電池収納ケース３の挿着に関する機械的な構造について説明する。上述の本体下部２１は、その収納凹部２０の内部に、電池収納ケース３の挿着方向（ｘ方向）に沿った案内リブ２０ａを２ヶ所に備えている。また、電池収納ケース３は、前記案内リブ２０ａに嵌合して案内される案内溝３０ａを、案内リブ２０ａに対応する２ヶ所に備えている。案内溝３０ａの形状は、案内リブ２０ａを挿入し易すいように、入り口が広く、奥に行けば狭くなるように形成されている。電池収納ケース３が挿着された最終状態において、案内リブ２０ａと案内溝３０ａとは、互いの幅が同一もしくは、０．１ｍｍ程度の余裕幅を有するように構成されている。
【００３４】
上述のような案内リブ２０ａと案内溝３０ａとを互いに嵌合させた状態で電池収納ケース３を機器本体２に挿着する構成によれば、機器本体２に対し電池収納ケース３の緩みのない挿着状態を実現できる。従って、電池収納ケース３が機器本体２内でガタつくことに起因するショートの発生を防止でき、また、電気接続部ｐ１，ｎ１と受電用電極ｐ２，ｎ２との接触部における接触圧の安定確保を図ることができる。
【００３５】
さらに、電池収納ケース３の挿着に関する機械的な構造について説明する。上述の本体下部２１は、挿着状態の電池収納ケース３を保持して脱落防止するため、そのｙ方向の両端面に、係止部２１ａを備えている。また、電池収納ケース３は、電池収納ケース３の外形の一部を構成する枠体３１のｙ方向の両端部分に、前記係止部２１ａに係合する係合爪３１ａを備えている。
【００３６】
上述の枠体３１は、電池収納部３０をコの字型に囲むように、ｙ方向において電池収納部３０よりも大きく構成されている。そして、ｙ方向両端部において枠体３１のｘ方向に延設された左右（ｘ方向に向いたときの左右）の側壁部分は、指係り部３１ｂを構成している。上述の係合爪３１ａは、指係り部３１ｂのｘ方向先端に形成されており、指係り部３１ｂを電池収納ケース３の内方側に撓めることにより、係合爪３１ａと係止部２１ａとの係合が解除されるようになっている。
【００３７】
そこで、この指係り部３１ｂに親指と人差し指とをあてて左右から挟んで、電池収納ケース３を保持したり、着脱したり、使い勝手良く操作することができる。また、枠体３１の外形が、本体下部２１の外枠の外形の一部を構成するように形成されているので、電池収納ケース３を機器本体２に挿着する際に、挿着方向を容易に判断でき、向きや方向の間違い防止して、着脱の操作性が向上したものとなる。
【００３８】
また、電池収納ケース３は、収納された乾電池Ｂｔを電池収納部３０外に押し出すための電池操作用貫通孔３０ｂを備えている。この電池操作用貫通孔３０ｂは、指を入れて、電池Ｂｔを押し出すことができるので（図４参照）、使い勝手の良い電池収納ケース３を実現できる。この電池操作用貫通孔３０ｂは、電池収納部３０の一部を切り欠いて形成できる。その切欠きの寸法としては、上述のように指が、収納された電池Ｂｔに接触可能な程度が望ましい。
【００３９】
このような切欠きは、電池収納ケース３の挿着方向前方下部に設けることにすると、図２に示すように、その切欠いたスペースに、本体下部２１内の部品等を配置する空間とすることができる。これは、円筒型の電池Ｂｔと略四角形の電池収納部３０とが形成する内部の隙間空間、または、電池収納部３０の部材厚みの空間を有効利用することに対応しており、機器本体２の省スペース化、コンパクトに効果がある。
【００４０】
（電極金具の形状と組込）
次に、図６乃至図８（ａ）（ｂ）を参照して、正負の電気接続部ｐ１，ｎ１の組込を説明する。電極金具５、６は、図６、図８（ａ）に示すように、導電性のバネ性を有する板材によって形成され、組込状態において電池収納ケース３の挿着方向（ｘ方向）に沿った面となる接触面、すなわち、正負の電気接続部ｐ１，ｎ１を構成する。また、電極金具５、６は、電池Ｂｔの端子に電気接続される正負の電極ｐ０，ｎ０を構成する。
【００４１】
電池収納ケース３の正極用の電極金具５は、図６に示すように、電池収納部３０に設けられた切欠１１，１２，１３にｚ方向に沿って圧入されて電池収納部３０に組み込まれる。電極金具５は、組み込まれた状態で、電池収納部３０の内部に電極ｐ０、外部側面に電気接続部ｐ１が配置された状態となる。
【００４２】
また、電池収納ケース３の負極用の電極金具６は、図８（ａ）（ｂ）に示すように、電池収納部３０の底部側から切欠１４に圧入されて電池収納部３０に組み込まれる。電極金具６は、組み込まれた状態で、電池収納部３０の内部に電極ｎ０、外部底面に電気接続部ｎ１が配置された状態となる。
【００４３】
（電極金具の空間配置と電力授受）
上述のようにして電池収納部３０に組み込まれた電極金具５，６は、図９に示す空間配置となっている。この状態の電池収納ケース３、従って、電池収納部３０を、本体下部２１の収納凹部２０にｘ方向に沿って挿入すると、正負の電気接続部ｐ１，ｎ１と、正負の受電用電極ｐ２，ｎ２とが、互いに圧接された状態となる。すなわち、本体下部２１の正負の受電用電極ｐ２，ｎ２は、バネ性の導電性板材で形成されており、そのバネ性によって前記圧接状態が実現され、確実に電力授受が行われる。
【００４４】
（電極金具の抜け止め構造）
次に、上述の図９及び図１０（ａ）（ｂ）（ｃ）（ｄ）を参照して、電極金具５，６の引っかかり防止構造および抜け止め構造を説明する。電極金具５は、挿着方向（ｘ方向）の前面部が、電池収納部３０の前面を覆うように湾曲され、かつ、金具のエッジ部分が切欠１３（図６参照）の内部に隠されている。従って、電池収納ケース３の挿入時に電極金具５のエッジが電極ｐ０などに引っかかるという不具合は発生しない。
【００４５】
また、電極金具６は、図９に示すように、その挿着方向の先端エッジ部６２が、上方に曲げられている。そして、その先端エッジ部６２は、図１０（ｂ）に示すように、電池収納部３０の底面に形成した凹部に納められ、電池収納ケース３の内方側に曲げた状態となっている。従って、電池収納ケース３の挿入時に電極金具６のエッジが電極ｎ０などに引っかかるという不具合は発生しない。
【００４６】
また、電極金具５は、図９に示すように、切り起こし爪５２（かえり形状）や、くい込み突起５１を備えて形成されている。切り起こし爪５２は、電極金具５を切欠１１（図６参照）に圧入したときの抜け止めとなる。切欠１１の内部に、抜け方向に対してひっかかるように段差を設けることにより、より効果的に抜け止め効果を発揮できる。また、突起５１は、図１０（ｃ）に示すように、矢印ａ方向から切欠１３に圧入後に、切欠１３の側壁に食い込んで抜け止めとなる。
【００４７】
また、電極金具６は、図９に示すように、切り起こし爪６１（かえり形状）を備えて形成されている。切り起こし爪６１は、図１０（ｄ）に示すように、電極金具６を矢印ｂ方向から切欠１４に圧入したときの抜け止めとなる。切欠１４の内部に、抜け方向に対してひっかかるように段差を設けることにより、より効果的に抜け止め効果を発揮できる。
【００４８】
なお、本発明は、上記構成に限られることなく種々の変形が可能である。例えば、電池収納ケース３の正負の電気接続部のうち１つは、挿着方向前面に設けることができる。この場合、本体下部２１の収納凹部２０における受電用の電極の１つは、挿着方向に平行な面ではなく挿着方向に垂直な面内に設ける。つまり、電気接続部ｐ１またはｎ１と、これに対応する電極ｐ２またはｎ２とは、互いに突き当てた状態で電力の授受を行う。
【００４９】
また、上記において、正負の電極や電気接続部等は、互いに正負の極性を交換した構造とすることができる。また、電池収納ケースを備えた電子機器として、電子血圧計を例にあげて説明したが、電子血圧計に限らず、電池を使用する電子機器、例えば、吸入用や美顔用の霧を発生させる医療用または美容用の霧化器、電流を人体表面に流して筋肉などの痛みやコリを取り除く電気治療器などに、本発明の電池収納ケースを適用することができる。また、電池収納ケース３とその収納凹部２０への挿着構造は、上述の電子血圧計１のように、上面が表示部２２ａなどで覆われ、下面がカフ帯４で覆われている構造で、側面から電池収納ケース３を挿着するように制限された電子機器において特に有効である。また、電気接続部ｐ１，ｎ１が配置される異なる２面とは、少なくとも同一平面ではない２面であり、互いに交差した２面や、互いの面間距離が十分離れた平行な２面などであり、直交する２面が特に好適である。
【図面の簡単な説明】
【００５０】
【図１】本発明の一実施形態に係る電子機器を電池収納ケースを引き出した状態で示す斜視図。
【図２】同上電子機器の断面図。
【図３】同上電子機器の電池収納ケースと機器本体の一部とを内部が見える状態で示す斜視図。
【図４】同上電池収納ケースの斜視図。
【図５】（ａ）は図３に示した電池収納ケースのＡ矢視図、（ｂ）は同Ｂ矢視図、（ｃ）は同Ｃ矢視図、（ｄ）は同Ｄ矢視図。
【図６】同上電池収納ケースの正極用の電気接続部の組込を説明する斜視図。
【図７】（ａ）（ｂ）は同上電池収納ケースにおける電気接続部の斜視図。
【図８】（ａ）（ｂ）は同上電池収納ケースの負極用の電気接続部の組込を説明する斜視図。
【図９】同上電池収納ケースにおける電気接続部および電子機器本体における受電電極の相互配置を示す斜視図。
【図１０】（ａ）は同上電池収納ケースの電気接続部を含む要部平面図、（ｂ）は（ａ）のＥＥ線断面図、（ｃ）は（ａ）のＦＦ線断面図、（ｄ）は（ａ）のＧＧ線断面図。
【符号の説明】
【００５１】
１    電子機器（電子血圧計）
１１〜１４    切欠
２    機器本体
２０ａ    案内リブ
２１ａ    係止部
３    電池収納ケース
３０ａ    案内溝
３０ｂ    電池操作用貫通孔
３１ａ    係合爪
５１，５２，６１    爪
６２    先端エッジ
ｎ１    負の電気接続部
ｐ１    正の電気接続部
Ｂｔ    電池
【図１】
2008108661.tif 000003
【図２】
2008108661.tif 000004
【図３】
2008108661.tif 000005
【図４】
2008108661.tif 000006
【図５】
2008108661.tif 000007
【図６】
2008108661.tif 000008
【図７】
2008108661.tif 000009
【図８】
2008108661.tif 000010
【図９】
2008108661.tif 000011
【図１０】
2008108661.tif 000012